(57)【要約】【課題】本発明は、回転体が突起体の凸部を接触移動するクリック付き回転操作型電子部品において、突起体とバネ部材とが平行上下運動しないことによるクリックの不安定感を抑制することを目的とする。【解決手段】回転体２と上ケース４の間に操作軸方向に移動可能であって、軸垂直方向及び軸回転方向の移動を規制するように取り付けられた突起体３と、この突起体３と上ケース４との間に操作軸方向に移動可能であって、軸垂直方向及び軸回転方向の移動を規制するように且つ突起体３を回転体２に押し付けるように取り付けられたバネ部材５とを備え、バネ部材５は操作軸軸心を中心とする円周において等間隔に且つ同じ力で突起体３を回転体２に押し付け、突起体３は回転体２の方向に複数の突起３Ｂを操作軸軸心を中心とする円周において等間隔に有し、回転体２は突起体３における突起数の倍数個の凹凸をこの突起３Ｂの方向に有するものである。【選択図】図１
2006127940.tif 000002
【特許請求の範囲】
【請求項１】
一つ以上の軸受けを有する筐体と、この筐体の軸受けに回転可能に取り付けられた操作軸と、前記筐体内において操作軸の回転に伴って回転されるように取り付けられた回転体と、この回転体と前記筐体の間に操作軸方向に移動可能であって、軸垂直方向及び軸回転方向の移動を規制するように取り付けられた突起体と、この突起体と前記筐体の間に操作軸方向に移動可能であって、軸垂直方向及び軸回転方向の移動を規制するように且つ前記突起体を前記回転体に押し付けるように取り付けられたバネ部材とを有するクリック付き回転操作型電子部品であって、前記バネ部材は操作軸軸心を中心とする円周において等間隔に且つ同じ力で前記突起体を前記回転体に押し付け、前記突起体は前記回転体の方向に複数の突起を操作軸軸心を中心とする円周において等間隔に有し、前記回転体は前記突起体における突起数の倍数個の凹凸をこの突起の方向に有し、前記回転体の回転に伴ってこの回転体の凹凸が前記突起体の突起上を接触移動することを特徴とするクリック付き回転操作型電子部品。
【請求項２】
突起体が突起を２個、バネ部材が足を２個、操作軸軸心を中心とする円周において等間隔に有することを特徴とする請求項１記載のクリック付き回転操作型電子部品。
【請求項３】
突起体の突起に丸みを持たせたことを特徴とする請求項１記載のクリック付き回転操作型電子部品。
【請求項４】
回転体の凹凸部において、凹と凸のいずれかが扇形であることを特徴とする請求項１記載のクリック付き回転操作型電子部品。
【請求項５】
軸受けを有する上ケースと、この上ケースの軸受けに回転可能に取り付けられた操作軸と、この操作軸の回転に伴って回転されるように取り付けられた回転体と、この回転体と前記上ケースの間に操作軸方向に移動可能であって、軸垂直方向及び軸回転方向の移動を規制するように取り付けられた突起体と、この突起体と前記上ケースの間に操作軸方向に移動可能であって、軸垂直方向及び軸回転方向の移動を規制するように且つ前記突起体を前記回転体に押し付けるように取り付けられたバネ部材とを有するクリック付き回転操作型電子部品であって、前記バネ部材は操作軸軸心を中心とする円周において等間隔に且つ同じ力で前記突起体を前記回転体に押し付け、前記突起体は前記回転体の方向に複数の突起を操作軸軸心を中心とする円周において等間隔に有し、前記回転体は前記突起体における突起数の倍数個の凹凸をこの突起の方向に有し、前記回転体の回転に伴ってこの回転体の凹凸が前記突起体の突起上を接触移動することを特徴とするクリック付き回転操作型電子部品。
【請求項６】
突起体が突起を２個、バネ部材が足を２個、操作軸軸心を中心とする円周において等間隔に有することを特徴とする請求項５記載のクリック付き回転操作型電子部品。
【請求項７】
突起体の突起に丸みを持たせたことを特徴とする請求項５記載のクリック付き回転操作型電子部品。
【請求項８】
回転体の凹凸部において、凹と凸のいずれかが扇形であることを特徴とする請求項５記載のクリック付き回転操作型電子部品。
【請求項９】
軸受けを有する上ケースと、この上ケースと組合わされた下ケースと、この上ケースの軸受けに回転可能に取り付けられた操作軸と、この操作軸の回転に伴って回転されるように前記上ケースと前記下ケースとの間に取り付けられた回転体と、回転体と前記下ケースの間に操作軸方向に移動可能であって、軸垂直方向及び軸回転方向の移動を規制するように取り付けられた突起体と、この突起体と前記下ケースの間に操作軸方向に移動可能であって、軸垂直方向及び軸回転方向の移動を規制するように且つ前記突起体を前記回転体に押し付けるように取り付けられたバネ部材とを有するクリック付き回転操作型電子部品であって、前記バネ部材は操作軸軸心を中心とする円周において等間隔に且つ同じ力で前記突起体を前記回転体に押し付け、前記突起体は前記回転体の方向に複数の突起を操作軸軸心を中心とする円周において等間隔に有し、前記回転体は前記突起体における突起数の倍数個の凹凸をこの突起の方向に有し、前記回転体の回転に伴ってこの回転体の凹凸が前記突起体の突起上を接触移動することを特徴とするクリック付き回転操作型電子部品。
【請求項１０】
突起体が突起を２個、バネ部材が足を２個、操作軸軸心を中心とする円周において等間隔に有することを特徴とする請求項９記載のクリック付き回転操作型電子部品。
【請求項１１】
突起体の突起に丸みを持たせたことを特徴とする請求項９記載のクリック付き回転操作型電子部品。
【請求項１２】
回転体の凹凸部において、凹と凸のいずれかが扇形であることを特徴とする請求項９記載のクリック付き回転操作型電子部品。
【発明の詳細な説明】
【技術分野】
【０００１】
本発明は、可変抵抗器やエンコーダなどのクリック付き回転操作型電子部品に関するものである。
【背景技術】
【０００２】
従来、この種の電子部品は、図７、図８、図９、図１０に示されるような構成を有していた。図７は従来の電子部品の断面図、図８は従来の電子部品の分解斜視図、図９は従来の電子部品の支持部材に突起体を組み合わせた状態を示す下面図、図１０は従来の電子部品の絶縁基板の平面図である。
【０００３】
図８において、操作部２１ａを回転して、非円形部２１ｃによって回転伝達部材２９を回転すると、凹凸係合した係合部２９ｅ、２９ｄによって、回転体２２と絶縁基板２６が回転する。そして、図１０に示す抵抗体２６Ｂと導電体２６Ａが図７に示す接触片２８に摺接して、抵抗値が変化し、信号を作り出している。また、図８のごとくこの操作軸２１の回転時、回転体２２の回転によって、バネ部材２５によって弾圧された突起体２３の突起２３ｅ上を凹凸部２２ｃが接触移動して、操作軸２１の回転にクリック感を与えて、クリック機構が構成されている。
【０００４】
ここで、バネ部材２５は、足部２５ｂが支持部材２４に載置された状態で一対の掛け止め部２５ｃがそれぞれ支持部材２４に設けられた一対の挟持部２４ｆに掛け止めされて片持ち状に支持され、この掛け止め部２５ｃを支点として、孔２５ａの反対側に位置する足部２５ｂの部分が軸方向に移動可能に支持されている。
【０００５】
突起体２３は、板部２３ｂがバネ部材２５の足部２５ｂ上に載置された状態で、一対の掛け止め部２３ｃがそれぞれ図９の一対の挟持部２４ｆに掛け止めされて片持ち状に支持され、この掛け止め部２３ｃを支点として、孔２３ａの反対側に位置する突起２３ｅが軸方向に移動可能に支持されている。
【０００６】
なお、この出願の発明に関する先行技術文献情報としては、例えば、特許文献１が知られている。
【特許文献１】特開２００１−１９６２０７号公報
【発明の開示】
【発明が解決しようとする課題】
【０００７】
しかしながら、このような従来の構成では、突起体２３の突起２３ｅ上を凹凸部２２ｃが接触移動しながら操作軸軸心を中心に回転するとき、この突起２３ｅは操作軸軸方向に上下するものの、図７、図９に示す押さえ部２３ｄは操作軸軸方向に上下することはない。よって、突起体２３とバネ部材２５とが操作軸方向に平行上下運動をしないため、安定したクリック感を得にくいという問題点を有していた。
【０００８】
そこで本発明は、突起体とバネ部材とを操作軸方向に平行上下運動させることで、安定したクリック感を得ることができるクリック付き回転操作型電子部品を提供することを目的とするものである。
【課題を解決するための手段】
【０００９】
そして、この目的を達成するために本発明は、回転体と前記筐体の間に操作軸方向に移動可能であって、軸垂直方向及び軸回転方向の移動を規制するように取り付けられた突起体と、この突起体と前記筐体の間に操作軸方向に移動可能であって、軸垂直方向及び軸回転方向の移動を規制するように且つ前記突起体を前記回転体に押し付けるように取り付けられたバネ部材とを備え、前記バネ部材は操作軸軸心を中心とする円周において等間隔に且つ同じ力で前記突起体を前記回転体に押し付け、前記突起体は前記回転体の方向に複数の突起を操作軸軸心を中心とする円周において等間隔に有し、前記回転体は前記突起体における突起数の倍数個の凹凸をこの突起の方向に有するものである。
【発明の効果】
【００１０】
本発明のクリック付き回転操作型電子部品では、バネ部材と突起体とが操作軸方向に移動可能であって、軸垂直方向及び軸回転方向の移動を規制するように取り付けられ、且つバネ部材が操作軸軸心を中心とする円周において等間隔に且つ同じ力で前記突起体を前記回転体に押し付けることにより操作軸軸心を中心とする円周において等間隔に位置する突起体の突起が同じ力で回転体を弾圧する。さらに回転体の凹凸がこの突起体における突起の数の倍数個存在するため、突起体とバネ部材とを操作軸方向に平行上下運動し、安定したクリック感を得ることができる。
【発明を実施するための最良の形態】
【００１１】
（実施の形態１）
以下、本発明の実施の形態１におけるクリック付き回転操作型電子部品について、図面を参照しながら説明する。
【００１２】
図１は本実施の形態におけるクリック付き回転操作型電子部品の分解斜視図、図２は本実施の形態におけるクリック付き回転操作型電子部品の断面図、図３は本実施の形態におけるクリック付き回転操作型電子部品の突起体、バネ部材、上ケースを組み合わせたクリック機構を示す要部分解斜視図、図４は本発明における絶縁基板の平面図、図５は本実施の形態における突起体、弾性のゴム体、かしめ突起を持たない上ケースを組み合わせたクリック機構を示す要部分解斜視図、図６は本実施の形態における覆い板、回転規制部、バネ部材、覆い板用かしめを備えた上ケースを組み合わせたクリック機構を示す要部分解斜視図である。
【００１３】
図１において、樹脂製の操作軸１の非円形凸部（図示せず）と樹脂製の回転体２の非円形凹部（図示せず）が係合することで、操作軸軸心を中心として操作軸１のつまみ部１Ａを回転させると、回転体２が回転するようになっている。また、回転体２は下ケース７の穴７Ａに係合する挿入部２Ｂと、凹凸部２Ａを有する。さらに、回転体２の下面には、図４に示すような絶縁基板６が固定されており、絶縁部６Ａと導電部６Ｂが図１に示す接触片８Ａに摺接して、抵抗値が変化し、信号を作り出している。
【００１４】
上記下ケース７は熱可塑性樹脂からなり、この下ケース７における穴７Ａと、上ケースを取り付けるための凸部７Ｂと、端子一体型接触片８とを有し、回転体２と接触する上面には上記接触片８Ａが、外側面からは端子８Ｂが導出されている。そして、図４に示すようにそれぞれ位置をずらせて取り付けられた３本の接触片８Ａが、回転体２の回転に伴って上記絶縁基板６の絶縁部６Ａと導電部６Ｂとに時間差を持って接触する。そうすることで、その都度３本の端子８Ｂ間での抵抗値が変化し、信号を作り出している。
【００１５】
図３において、上ケース４は前記操作軸１に対する軸受け４Ａと、操作軸軸心を中心として対称に位置するふたつの回転規制部４Ｃと、前記ふたつの回転規制部内に位置するふたつのかしめ突起４Ｂと、上記下ケース７の凸部７Ｂと係合する穴４Ｄとを有する。
【００１６】
樹脂製の突起体３は、上ケース４の回転規制部４Ｃに係合するふたつの非円形部３Ａを有し、上ケース４により回転方向への移動が規制されると共に軸方向の移動が可能に保持されている。さらに、操作軸軸心を中心とする円周において等間隔にふたつの突起３Ｂを回転体２側に有し、この突起３Ｂ上を上記回転体２の凹凸部２Ａが接触移動することでクリック感が得られるようになっている。ここで、この回転体２の凹凸の数は、前記突起体３における突起３Ｂの数の倍数個ある必要がある。
【００１７】
金属製バネ部材５は上ケース４と突起体３との中間に位置し、この上ケース４のかしめ突起４Ｂと係合するふたつの穴５Ａにより設置されている。また、このふたつの穴５Ａを結ぶ直線に対して操作軸垂直方向に直交する直線上に操作軸軸心を中心として対称に位置するふたつの足５Ｂを有し、突起体３を回転体２に弾圧する働きをする。
【００１８】
そして、上ケース４、バネ部材５、突起体３が図３に示すように係合することにより、クリック機構１１が形成される。さらに、図１に示すように、クリック機構１１、操作軸１、回転体２、下ケース７が、上ケース４の穴４Ｄと下ケース７の凸部７Ｂとが係合することによって一体となって本体１２を形成し、本体１２の上には製品との連結やプリント基板への取付けを可能にする接合部９Ａを持つ接合体９が、本体１２の下には下ケース７の穴７Ａを塞ぎ粉塵やゴミの侵入を防ぐ下板１０が図２のごとく備え付けられている。
【００１９】
このような構成にしたため、本発明のクリック付き回転操作型電子部品では、バネ部材５と突起体３とが操作軸方向に移動可能であって、軸垂直方向及び軸回転方向の移動を規制するように取り付けることができ、且つバネ部材５が操作軸軸心を中心とする円周において等間隔に且つ同じ力で突起体３を回転体２に押し付けることにより操作軸軸心を中心とする円周において等間隔に位置する突起体３の突起３Ｂが同じ力で回転体２を弾圧することができる。さらに回転体２の凹凸がこの突起体３における突起３Ｂの数の倍数個存在するため、突起体３とバネ部材５とが操作軸方向に平行上下運動し、安定したクリック感を得ることができる。
【００２０】
なお、突起体３の突起３Ｂは３個以上であっても、この突起３Ｂが操作軸軸心を中心とする円周において等間隔に存在し、回転体２の凹凸がこの突起体３の突起３Ｂの倍数個存在すれば同様の効果を得ることができる。
【００２１】
なおクリック機構１１には、図５に示すような、かしめ突起を持たない上ケース１４と、弾性のゴム体１５を用いても良い。
【００２２】
なお、回転体２の挿入部２Ｂを大きくし、それを新たな操作軸とする構成にしてもよい。また、この時もともとある操作軸１や、上ケース４における軸受け４Ａの存在の有無は問わない。
【００２３】
さらに、突起体３の突起３Ｂに丸みを持たせると、この突起３Ｂが回転体２の凹部に落ち着きやすく、より安定したクリック感を得ることができる。
【００２４】
さらに、回転体２の凹凸部２Ａにおける凹部を扇形にすることで、突起体３の突起３Ｂが回転体２の凹部に落ち着きやすく、より安定したクリック感を得ることができる。
【００２５】
さらに、図６に示すように、突起体３に対してバネ部材５と反対位置に覆い板１７を用意し、この覆い板用かしめ１６Ａを備えた上ケース１６に突起体３とバネ部材５を係合させるとともに、覆い板１７における穴１７Ａと上ケース１６における覆い板用かしめ１６Ａを係合させることで、突起体３とバネ部材５を上ケースに半固定状態にすることができる。そうすることで、製造工程において効率よくこのクリック付き回転操作型電子部品を製造することができる。
【００２６】
また、突起体３とバネ部材５とが操作軸方向に平行上下運動することで、従来のように、突起体３が回転体２の凸部によって押し上げられるときの、金属製のバネ部材５による突起体３の削れを大幅に削減することができる。
【産業上の利用可能性】
【００２７】
本発明のクリック付き回転操作型電子部品は、突起体とバネ部材とが操作軸方向に平行上下運動し、安定したクリック感を得ることができるという効果を有し、可変抵抗器やエンコーダなどのクリック付き回転操作型電子部品に有用である。
【図面の簡単な説明】
【００２８】
【図１】本発明の実施の形態１におけるクリック付き回転操作型電子部品の分解斜視図
【図２】同実施の形態におけるクリック付き回転操作型電子部品の断面図
【図３】同実施の形態における突起体、バネ部材、上ケースを組み合わせたクリック機構を示す要部分解斜視図
【図４】同実施の形態における絶縁基板の平面図
【図５】同実施の形態における突起体、弾性のゴム体、かしめ突起を持たない上ケースを組み合わせたクリック機構を示す要部分解斜視図
【図６】同実施の形態における覆い板、回転規制部、バネ部材、覆い板用かしめを備えた上ケースを組み合わせたクリック機構を示す要部分解斜視図
【図７】従来の電子部品の断面図
【図８】従来の電子部品の分解斜視図
【図９】従来の電子部品の支持部材に突起体を組み合わせた状態を示す下面図
【図１０】従来の電子部品の絶縁基板の平面図
【符号の説明】
【００２９】
１  操作軸
１Ａ  つまみ部
２  回転体
２Ａ  凹凸部
２Ｂ  挿入部
３  突起体
３Ａ  非円形部
３Ｂ  突起
４  上ケース
４Ａ  軸受け
４Ｂ  かしめ突起
４Ｃ  回転規制部
４Ｄ  穴
５  バネ部材
５Ａ  穴
５Ｂ  足
６  絶縁基板
６Ａ  絶縁部
６Ｂ  導電部
７  下ケース
７Ａ  穴
７Ｂ  凸部
８  端子一体型接触片
８Ａ  接触片
８Ｂ  端子
９  接合体
９Ａ  接合部
１０  下板
１１  クリック機構
１２  本体
１４  かしめ突起を持たない上ケース
１５  弾性のゴム体
１６  覆い板用かしめを備えた上ケース
１６Ａ  覆い板用かしめ
１７  覆い板
１７Ａ  穴
【図１】
2006127940.tif 000003
【図２】
2006127940.tif 000004
【図３】
2006127940.tif 000005
【図４】
2006127940.tif 000006
【図５】
2006127940.tif 000007
【図６】
2006127940.tif 000008
【図７】
2006127940.tif 000009
【図８】
2006127940.tif 000010
【図９】
2006127940.tif 000011
【図１０】
2006127940.tif 000012